(57)【要約】【目的】伸縮脚を損傷等によって取り換える場合に簡単容易に取り換えることができるようにした作業台を提供する。【解決手段】天板の両端に一対の脚体２，２が折り畳み可能に枢着され、各脚体２は、両側一対の脚柱４，４に複数の踏桟５を複数段に横架してなる主脚６と、主脚６の脚柱４内にスライド自在に嵌挿された伸縮脚７とからなり、伸縮脚７を脚柱４に対し所要伸縮位置に固定するロック手段８が脚柱４側に設けられた作業台において、伸縮脚７の上端部に抜け止めピン１０が突設され、抜け止めピン１０が当接して脚柱４からの伸縮脚７の抜け出しを阻止するための伸縮脚抜け止めボルト１２が脚柱４を貫通して着脱可能に取り付けられている。【選択図】        図３
2005036414.tif 000002
【特許請求の範囲】
【請求項１】
天板の両端に一対の脚体が折り畳み可能に枢着され、各脚体は、両側一対の脚柱に複数の踏桟を複数段に横架してなる主脚と、主脚の脚柱内にスライド自在に嵌挿された伸縮脚とからなり、伸縮脚を脚柱に対し所要伸縮位置に固定するロック手段が脚柱側に設けられた作業台において、
伸縮脚の上端部に抜け止めピンが突設されると共に、この抜け止めピンが当接して脚柱からの伸縮脚の抜け出しを阻止するための伸縮脚抜け止めボルトが脚柱を貫通して着脱可能に取り付けられてなる作業台。
【請求項２】
伸縮脚を脚柱から取り外す時に脚柱からの抜け止めピンの抜き出しを阻止するように脚柱内に突入している踏桟の端部には抜け止めピン通過用切欠部が設けられている請求項１に記載の作業台。
【請求項３】
前記ロック手段は、伸縮脚にその長さ方向所要間隔おきに設けられた複数の伸縮調整孔と、主脚側に取り付けられたブラケットで支持され、伸縮調整孔の一つに嵌入して伸縮脚を脚柱に固定するロックシャフトと、ロックシャフトを常時伸縮調整孔に嵌入する方向に付勢するバネとからなる請求項１又は２に記載の作業台。
【請求項４】
前記ブラケットは、主脚の最下段の踏桟の下面に取り付けられて、ロックシャフトが伸縮脚に対し直交方向に位置するようにロックシャフトを支持している請求項３に記載の作業台。
【発明の詳細な説明】
【０００１】
【発明の属する技術分野】
本発明は、建物の建設現場等において天井の内装仕上げや天井内の配線等の比較的高い場所で作業を行う時に使用される作業台に関するものである。
【０００２】
【従来の技術】
この種の作業台は、天板の両端に一対の脚体が折り畳み可能に枢着されたもので、各脚体は、両側一対の脚柱に複数の踏桟を複数段に横架してなる主脚と、主脚の脚柱内にスライド自在に嵌挿された伸縮脚とで構成され、そして伸縮脚を脚柱に対し所要伸縮位置に固定するロック手段が脚柱側に設けられている（例えば、特許文献１参照）。
【０００３】
【特許文献１】
特開２０００−１３００６０公報（第１〜５頁、図１〜図５）
【０００４】
【発明が解決しようとする課題】
従来の作業台においても、脚柱内でスライドする伸縮脚が最大限伸張した状態で脚柱から抜け出すのを阻止するためのストッパーが設けられてはいるが、そのストッパーは脚柱の内部にあって外部から取り外しできないようになっているため、伸縮脚が損傷するなどして、その取り替えを必要とする場合には、主脚を分解しなければならず、伸縮脚の取り替え作業に非常な手間がかかっていた。
【０００５】
本発明は、上記の課題に鑑みてなされたもので、伸縮脚を損傷等によって取り換えを必要とする場合に、その伸縮脚を簡単容易に取り換えることができるようにした作業台を提供することを目的とする。
【０００６】
【課題を解決するための手段】
請求項１に係る発明は、天板１の両端に一対の脚体２，２が折り畳み可能に枢着され、各脚体２は、両側一対の脚柱４，４に複数の踏桟５を複数段に横架してなる主脚６と、主脚６の脚柱４内にスライド自在に嵌挿された伸縮脚７とからなり、伸縮脚７を脚柱４に対し所要伸縮位置に固定するロック手段８が脚柱４側に設けられた作業台において、伸縮脚７の上端部に抜け止めピン１０が突設されると共に、この抜け止めピン１０が当接して脚柱４からの伸縮脚７の抜け出しを阻止するための伸縮脚抜け止めボルト１２が脚柱４を貫通して着脱可能に取り付けられてなることを特徴とする。
【０００７】
請求項２は、請求項１に記載の作業台において、伸縮脚７を脚柱４から取り外す時に脚柱４からの抜け止めピン１０の抜き出しを阻止するように脚柱４内に突入している踏桟５の端部には抜け止めピン通過用切欠部１９が設けられていることを特徴とする。
【０００８】
請求項３は、請求項１又は２に記載の作業台において、前記ロック手段８は、伸縮脚７にその長さ方向所要間隔おきに設けられた複数の伸縮調整孔１１と、主脚６側に取り付けられたブラケット１６で支持され、伸縮調整孔１１の一つに嵌入して伸縮脚７を脚柱に固定するロックシャフト１７と、ロックシャフト１７を常時伸縮調整孔１１に嵌入する方向に付勢するバネ１８とからなることを特徴とする。
【０００９】
請求項４は、請求項３に記載の作業台において、前記ブラケット１６は、主脚６の最下段の踏桟５の下面に取り付けられて、ロックシャフト１７が伸縮脚７に対し直交方向に位置するようにロックシャフト１７を支持していることを特徴とする。
【００１０】
【発明の実施の形態】
図１の（ａ）  は本発明に係る作業台の正面図、（ｂ）  は平面図、（ｃ）  は側面図であり、図２の（ａ）  は図１の（ａ）  に示す作業台の拡大側面図、（ｂ）  は同作業台の一部拡大正面図である。また、図３は図２の（ａ）  の矢印Ｘで示す部分の拡大図、図４は図２の（ａ）  の矢印Ｘで示す部分の拡大斜視図である。これらの図面に示すように、作業台は、天板１の両端に、一対の脚体２，２が回転連結金具３，３によって折り畳み可能に枢着されたもので、各脚体２は、両側一対の脚柱４，４に複数の踏桟５を複数段に横架してなる主脚６と、この主脚６の脚柱４，４内に夫々スライド自在に嵌挿された伸縮脚７，７とから構成され、各脚柱４側には伸縮脚７を脚柱４に対し所要伸縮位置に固定するロック手段８が設けられている。
【００１１】
主脚６の各脚柱４は、アルミ押出し型材からなるもので、図５に示すように、底壁部４ａと両側壁部４ｂ，４ｂとで横断面コ字溝状に形成されると共に、両側壁部４ｂ，４ｂの夫々内壁面の溝深さ方向中間部にフランジ部４ｃ，４ｃが対向方向に突設されていて、このフランジ部４ｃ，４ｃと底壁部４ａとの間に伸縮脚嵌挿溝９を形成している。
【００１２】
伸縮脚７は、図５に示すように上記脚柱４の伸縮脚嵌挿溝９にスライド自在に嵌挿されるもので、角形鋼管からなる。また図３、図４及び図６に示すように、伸縮脚７には内方側面上端部に抜け止めピン１０が突設され、またこの伸縮脚７には長さ方向所要間隔おきに複数の伸縮調整孔１１が夫々両側面を貫通するように設けられている。抜け止めピン１０は、図５及び図６から分かるように、伸縮脚７の内方側面から所要長さ突出させた状態で基部１０ｏを伸縮脚７内部に突入させて溶接することによって（溶接部をＷで示す）、伸縮脚７に固着される。
【００１３】
そして、この伸縮脚７の上端部の抜け止めピン１０が当接して脚柱４からの伸縮脚７の抜け出しを阻止するための伸縮脚抜け止めボルト１２が、脚柱４の下端部を貫通してナット１３により着脱可能に取り付けられている。また伸縮脚７の上端には樹脂製のキャップ１４が、下端にはゴム製の脚端具１５が夫々取り付けてある。
【００１４】
この伸縮脚７を脚柱４に対し所要伸縮位置に固定するロック手段８は、図３及び図４に示すように、伸縮脚７にその長さ方向所要間隔おきに設けられた複数の伸縮調整孔１１と、主脚６側に取り付けられたブラケット１６に支持され、複数の伸縮調整孔１１の一つに嵌入して伸縮脚７を脚柱４に固定するロックシャフト１７と、このロックシャフト１７を常時伸縮調整孔１１に嵌入する方向に付勢するためのコイルバネ１８と、から構成される。図３及び図４は、ロックシャフト１７の先端部１７ａが伸縮調整孔１１の一つに嵌入して、伸縮脚７が脚柱４に対し所要伸縮位置に固定されたロック状態を示したもので、この状態からロックシャフト１７の把手部１７ｂを掴んでコイルバネ１８の付勢力に抗して手前側に引っ張ると、先端部１７ａが伸縮調整孔１１から抜け出てロック解除状態となり、伸縮脚７は脚柱４に対しスライドフリーとなる。
【００１５】
上記のようにロック手段８をロック解除操作して、伸縮脚７が脚柱４に対しスライドフリーとなっても、伸縮脚７の上端部に設けられた抜け止めピン１０が、脚柱４側に設けてある伸縮脚抜け止めボルト１２に当たるため、脚柱４からの伸縮脚７の抜け出しが阻止される。
【００１６】
このロック手段８は、上記のように、伸縮脚７に設けた複数の伸縮調整孔１１と、主脚６側に取り付けたブラケット１６に支持され、伸縮調整孔１１の一つに嵌入して伸縮脚７を固定するロックシャフト１７と、このロックシャフト１７を伸縮調整孔１１嵌入する方向に付勢するバネ１８とからなるもので、構造が非常に簡単で部品点数が少ないから、安価に製作できると共に、故障が少なく、使用寿命が長い。特に、このロック手段８では、伸縮脚７には複数の伸縮調整孔１１を設ければよいから、伸縮脚７の製作が容易で、そのコストを安くできる。
【００１７】
また、前記ブラケット１６は、主脚６の最下段の踏桟５の下面に取り付けられて、ロックシャフト１７が伸縮脚７に対し直交方向に位置するようにロックシャフト１７を支持している。即ち、主脚６の脚柱４は若干傾斜し、踏桟５は水平に配置されるから、仮に、ブラケット１６がロックシャフト１７を水平姿勢に支持するように構成すれば、伸縮脚７の伸縮調整孔１１も脚柱４に対し若干傾斜状に開ける必要があるたため、その孔加工が非常に難しくなるが、ブラケット１６で支持されるロックシャフト１７が伸縮脚７に対し直交するするようにブラケット１６を踏桟５に取り付けることによって、脚柱４に対する孔加工が容易となり、それだけ製作コストを安くできる。この場合、ブラケット１６は上板部１６ａと左右側板部１６ｂ，１６ｃとからなるもので、脚柱４に隣接する側の側板部１６ｂの丈が短く、その反対側の側板部１６ｃの丈が長く形成され、上板部１６ａが踏桟５の下面に固着される。
【００１８】
また、上記のようにロックシャフト１７が伸縮脚７に対し直交するするようにブラケット１６を踏桟５に取り付ける場合に、このブラケット１６を仮に踏桟５の上面側に取り付けると、ロックシャフト１７の引っ張り操作がやり難くくなるが、踏桟５の下面側にブラケット１６を取り付けることによって、ロックシャフト１７の引っ張り操作がし易くなる。
【００１９】
図３及び図５に示すように、脚柱４と踏桟５との組み付けにあたっては、その組み付けを簡単で且つ強固なものとするために横断面コ字溝状の脚柱４内に踏桟５の端部を突入嵌合させていることから、そのままでは脚柱４から伸縮脚７を取り外す時に伸縮脚７の上端部の抜け止めピン１０が踏桟５の突入端部に当たってしまい、脚柱４から抜け出ないことになる。従って、これを回避するため、踏桟５の突入端部には、抜け止めピン１０が通過しうる通過用切欠部１９が設けられている。また、脚柱４の下端には合成樹脂製の下端キャップ２０が取り付けられているので、この下端キャップ２０にも踏桟５側の通過用切欠部１９と同様に、抜け止めピン１０が通過しうる通過用切欠部２１が設けられている。
【００２０】
図１及び図２において、２２は天板１下面の端部と各主脚６の最上段の踏桟５との間に介装された折り畳み可能な開き止め金具である。
【００２１】
以上説明したような構成よりなる作業台において、伸縮脚７が損傷するなどして、その伸縮脚７の取り替えを必要とする場合には、ロック手段８をロック解除操作して、伸縮脚７が主脚６の脚柱４に対しスライドフリーの状態から、伸縮脚抜け止めボルト１２を脚柱４に固定しているナット１３を緩めて伸縮脚抜け止めボルト１２を取り外すことによって、その伸縮脚７を脚柱４から簡単に取り外すことができて、新しい伸縮脚７と容易に取り換えることができる。
【００２２】
【発明の効果】
請求項１に係る発明によれば、ロック手段をロック解除操作して伸縮脚が脚柱に対しスライドフリーとなった状態で、伸縮脚が主脚の脚柱から抜け出るのを阻止する手段として、伸縮脚の上端部に抜け止めピンを設けると共に、この抜け止めピンが当接する伸縮脚抜け止めボルトを着脱可能に取り付けたことによって、脚柱からの伸縮脚の抜け出しを簡単に阻止できると共に、伸縮脚が損傷するなどして伸縮脚の取り替えを必要とする場合には、伸縮脚抜け止めボルトを脚柱に固定しているナットを緩めて伸縮脚抜け止めボルトを取り外すことによって、その伸縮脚を脚柱から簡単に取り外すことができて、新しい伸縮脚と容易に取り換えることができる。
【００２３】
請求項２に係る発明によれば、脚柱と踏桟との組み付けにあたって、脚柱内に踏桟の端部を突入嵌合させることにより、その組み付けを簡単で且つ強固なものとすることができ、しかしてこのように脚柱内に踏桟の端部を突入嵌合させていることから、そのままでは脚柱から伸縮脚を取り外す時に伸縮脚の上端部の抜け止めピンが踏桟の突入端部に当たって脚柱から抜け出ないことになるが、脚柱内に突入している踏桟の端部に抜け止めピン通過用切欠部を設けることによって、その抜け止めピンを脚柱から簡単に抜き出すことができる。
【００２４】
請求項３に係る発明によれば、ロック手段は、伸縮脚に設けた複数の伸縮調整孔と、主脚側に取り付けたブラケットで支持され、伸縮調整孔の一つに嵌入して伸縮脚を脚柱に固定するロックシャフトと、ロックシャフトを常時伸縮調整孔に嵌入する方向に付勢するバネとからなるもので、構造が非常に簡単で部品点数が少ないから、安価に製作できると共に、故障が少なく、使用寿命が長い。
【００２５】
請求項４に係る発明によれば、ブラケットは、主脚の最下段の踏桟の下面に取り付けられて、ロックシャフトが伸縮脚に対し直交方向に位置するようにロックシャフトを支持するようにした構成であるから、伸縮脚の製作にあたって、伸縮脚に対する孔加工が容易となり、それだけコストを安くでき、また踏桟の下面側にブラケットを取り付けることによって、ロックシャフトの引っ張り操作がし易くなる。
【図面の簡単な説明】
【図１】（ａ）  は本発明に係る作業台の正面図、（ｂ）  は平面図、（ｃ）  は側面図である。
【図２】（ａ）  は図１の（ａ）  に示す作業台の拡大側面図、（ｂ）  は同作業台の一部拡大正面図である。
【図３】図２の（ａ）  の矢印Ｘで示す部分の拡大図である。
【図４】図２の（ａ）  の矢印Ｘで示す部分の拡大斜視図である。
【図５】図３のＹ−Ｙ線断面図である。
【図６】（ａ）  は伸縮脚の側面図、（ｂ）  は正面図、（ｃ）  は平面図である。
【符号の説明】
１                天板
２                脚体
４                脚柱
５                踏桟
６                主脚
７                伸縮脚
８                ロック手段
１０              抜け止めピン
１１              伸縮調整孔
１６              ブラケット
１７              ロックシャフト
１９              バネ
【図１】
2005036414.tif 000003
【図２】
2005036414.tif 000004
【図３】
2005036414.tif 000005
【図４】
2005036414.tif 000006
【図５】
2005036414.tif 000007
【図６】
2005036414.tif 000008